(57)【特許請求の範囲】
【請求項１】
携帯端末とこの携帯端末と無線チャネルを介して接続されるサービス提供機器との間でデータの送受信を行うデータ送受信システムにおいて、
前記サービス提供機器は、
前記携帯端末にデータを送信すると共に、前記携帯端末からのデータを受信する第１のデータ通信用無線インターフェースと、
前記第１のデータ通信用無線インターフェースを用いて前記携帯端末から携帯端末固有の識別情報を受信する機能と、サービス提供者の識別情報および提供するサービス情報を含む変更要求を送信する機能を併せ持つ第１の制御手段とを備え、
前記携帯端末は、
前記サービス提供機器にデータを送信すると共に、前記サービス提供機器からのデータを受信する第２のデータ通信用無線インターフェースと、
サービス提供者の識別情報と当該サービス提供者から提供されるサービス情報とが対応付けられた情報群を複数群記憶可能な記憶手段と、
前記記憶手段に記憶されたサービス提供者の識別情報とは異なるサービス提供者の識別情報および当該サービス提供者から提供されるサービス情報を取得し、取得したサービス提供者の識別情報およびサービス情報を対応付けた情報群を前記記憶手段に追加する情報追加手段と、
前記第２のデータ通信用無線インターフェースを介してサービス提供機器に対して自端末の識別情報を送信する機能と、前記第２のデータ通信用無線インターフェースを介してサービス提供機器からサービス提供者の識別情報および当該サービス提供者から提供されるサービス情報を含む変更要求を受信すると、受信したサービス提供者の識別情報と対応付けて前記記憶手段に記憶されたサービス情報を受信したサービス情報を用いて変更する機能とを併せ持つ第２の制御手段とを備えることを特徴とするデータ送受信システム。
【請求項２】
前記サービス提供機器の第１の制御手段は、
サービス提供者の識別情報およびサービス情報の照会要求を前記第１のデータ通信用無線インターフェースを介して送信する機能を更に有し、
前記携帯端末の第２の制御手段は、
サービス提供者から提供されるサービス情報の照会要求を第２のデータ通信用無線インターフェースを介して受信した場合、受信したサービス提供者の識別情報と対応付けて前記記憶手段に記憶されているサービス情報を前記第２のデータ通信用無線インターフェースを介して応答する機能を更に有することを特徴とする請求項１に記載のデータ送受信システム。
【請求項３】
対向機器と無線チャネルを介して情報を送受信する無線通信手段と、
サービス提供者の識別情報と当該サービス提供者から提供されるサービス情報とが対応付けられた情報群を複数群記憶可能な記憶手段と、
前記記憶手段に記憶されたサービス提供者の識別情報とは異なるサービス提供者の識別情報および当該サービス提供者から提供されるサービス情報を取得し、取得したサービス提供者の識別情報およびサービス情報を対応付けた情報群を前記記憶手段に追加する情報追加手段と、
前記無線通信手段を介してサービス提供者の対向機器に対して自端末の識別情報を送信し、前記無線通信手段を介してサービス提供者の対向機器からサービス提供者の識別情報および当該サービス提供者から提供されるサービス情報を含む変更要求を受信すると、受信したサービス提供者の識別情報と対応付けて前記記憶手段に記憶されたサービス情報を受信したサービス情報を用いて変更する変更手段とを有することを特徴とする携帯端末。
【請求項４】
サービス提供者の対向機器から前記無線通信手段を介してサービス提供者の識別情報を受信し、サービス提供者から提供されるサービス情報の照会要求を受信した場合、前記記憶手段に受信したサービス提供者の識別情報と対応付けて記憶されているサービス情報を前記無線通信手段を介して応答する照会応答手段を更に有することを特徴とする請求項３に記載の携帯端末。
【請求項５】
電話網の基地局と情報の送受信を行う電話通信手段を更に有し、
前記無線通信手段を介してサービス提供者からサービス情報を受信している最中であっても、前記電話通信手段を介して着信を受けることを特徴とする請求項３に記載の携帯端末。
【請求項６】
前記無線通信手段を介して接続した対向機器との間で認証を行う認証手段を更に有し、  前記認証手段による認証の結果、不正な対向機器からのアクセス要求があった場合、この対向機器から前記記憶手段に記憶された情報の変更要求を受けたとしても、情報の変更を行わないことを特徴とする請求項３に記載の携帯端末。
【請求項７】
前記無線通信手段を介して接続した対向機器との間で認証を行う認証手段を更に有し、  前記認証手段による認証の結果、不正な対向機器からのアクセス要求があった場合、この対向機器から前記記憶手段に記憶された情報の照会要求を受けたとしても、前記記憶手段に記憶された情報の前記無線通信手段を介した送信を行わないことを特徴とする請求項４に記載の携帯端末。
【請求項８】
対向機器と無線チャネルを介して情報を送受信する無線通信手段と、
サービス提供者の識別情報と当該サービス提供者から提供されるサービス情報とが対応付けられた情報群を複数群記憶可能な記憶手段と、
前記記憶手段に記憶されたサービス提供者の識別情報とは異なるサービス提供者の識別情報および当該サービス提供者から提供されるサービス情報を取得し、取得したサービス提供者の識別情報およびサービス情報を対応付けた情報群を前記記憶手段に追加する情報追加手段と、
情報を表示する表示手段と、
前記無線通信手段を介してサービス提供者の識別情報を受信し、受信したサービス提供者の識別情報と対応付けて前記記憶手段に記憶されているサービス情報を前記表示手段に表示する表示制御手段と、
前記無線通信手段を介してサービス提供者の対向機器からサービス提供者の識別情報および当該サービス提供者から提供されるサービス情報を含む変更要求を受信すると、受信したサービス提供者の識別情報と対応付けて前記記憶手段に記憶されたサービス情報を受信したサービス情報を用いて変更する変更手段とを有することを特徴とする携帯端末。
【発明の詳細な説明】
【０００１】
【発明が属する技術分野】
本発明は、無線端末を用いて、例えば商品を購入したときに発行されるサービスポイントなどのデータの送受信を行うデータ送受信システムとこのシステムに用いられるマスタ端末とスレーブ端末に関する。
【０００２】
【従来の技術】
近年、ＰＤＣ方式による携帯電話機やＰＨＳ方式による簡易型携帯電話機などの携帯端末が広く普及し、音声通信だけでなく、文字通信によるデータ通信や、ブラウザによるコンテンツサービスと機能が多様化している。また、普及の加速が著しく一人一台、常時持ち歩き時代になりつつある。
【０００３】
携帯端末にはいろいろな情報を登録しているが、登録される情報はアドレス帳や録音などユーザ自身が書き込み登録するものが殆どである。例えばアドレス帳のデータはユーザ自身がキーボードを用いて登録するやり方の他に、アプリケーションソフトを使いパソコンとの間で、ケーブルやＩｒＤＡを介してバックアップや書換えを行うことができる。
【０００４】
【発明が解決しようとする課題】
ところで、現代は「カード時代」とも言われており、生活をする上で様々なカードを持ち歩くことが多くなっている。カードとしては例えばクレジットカードや店のサービスカードやポイントカード、病院の診察券などがある。このように持ち歩くカードが多数になると財布の中がいっぱいになってしまい不便なことが多い。また、よく使うカードしか持ち歩かず、予定外に必要になった時にカードが  手許に無く不便な思いをすることも多い。
【０００５】
本発明は上記した事情に鑑みてなされたもので、上述したように一人一台、常時持ち歩き時代になった携帯端末に着目し、これらのカードに記憶された情報を一つの携帯端末内に持たせ、ポイントゲット、割引特典、診察等のサービスを受ける際に、いちいちカードを探して取り出さなくともサービス提供機器と無線で通信してサービスを受けることが可能なデータ送受信システムとこのシステムに用いる携帯端末を提供することを目的とする。
【０００６】
【課題を解決するための手段】
上記の目的を達成するために、この発明のデータ送受信システムは、携帯端末とこの携帯端末と無線チャネルを介して接続されるサービス提供機器との間でデータの送受信を行うデータ送受信システムにおいて、前記サービス提供機器は、前記携帯端末にデータを送信すると共に、前記携帯端末からのデータを受信する第１のデータ通信用無線インターフェースと、前記第１のデータ通信用無線インターフェースを用いて前記携帯端末から携帯端末固有の識別情報を受信する機能と、サービス提供者の識別情報および提供するサービス情報を含む変更要求を送信する機能を併せ持つ第１の制御手段とを備え、前記携帯端末は、前記サービス提供機器にデータを送信すると共に、前記サービス提供機器からのデータを受信する第２のデータ通信用無線インターフェースと、サービス提供者の識別情報と当該サービス提供者から提供されるサービス情報とが対応付けられた情報群を複数群記憶可能な記憶手段と、前記記憶手段に記憶されたサービス提供者の識別情報とは異なるサービス提供者の識別情報および当該サービス提供者から提供されるサービス情報を取得し、取得したサービス提供者の識別情報およびサービス情報を対応付けた情報群を前記記憶手段に追加する情報追加手段と、前記第２のデータ通信用無線インターフェースを介してサービス提供機器に対して自端末の識別情報を送信する機能と、前記第２のデータ通信用無線インターフェースを介してサービス提供機器からサービス提供者の識別情報および当該サービス提供者から提供されるサービス情報を含む変更要求を受信すると、受信したサービス提供者の識別情報と対応付けて前記記憶手段に記憶されたサービス情報を受信したサービス情報を用いて変更する機能とを併せ持つ第２の制御手段とを備えることを特徴としている。
【０００７】
上記データ送受信システムでは、サービス提供機器は第１のデータ通信用無線インターフェースを、携帯端末は第２のデータ通信用無線インターフェースをそれぞれ用いて必要な情報の送受信を行っている。そして携帯端末ではサービス提供機器から通知されたサービス提供者の識別情報毎にポイント情報や店の割引情報割引の有効期限等の情報を保存し、サービス提供機器からの指示があった場合は情報を更新する。このように構成したことにより、一つの携帯端末において複数のサービス提供者に関する情報を保存・更新ができる。よって、例えばある店で商品を購入するとその金額に応じたポイントが得られるといったサービスに本発明を適用することができる。
【０００８】
【発明の実施の形態】
以下、図面を参照して本発明に係る実施形態を説明する。
図１は本発明のデータ通信システムの概略構成図であり、１００はマスタ端末、２００は携帯電話の機能の他に後述するＢｌｕｅｔｏｏｔｈ方式（以下「ＢＴ方式」と称する）でマスタ端末１００と無線通信を行うことのできる移動端末機（以下、「移動機」と称する）、３００は携帯電話網と接続された携帯電話基地局をそれぞれ示す。
【０００９】
マスタ端末１００は公衆網と接続されると共に、例えば商店や病院などに設置され、後述するように移動機２００に対して様々なデータをＢＴ方式を用いて供給するものである。
【００１０】
ＢＴ方式は、２．４ＧＨｚ帯のＩＳＭバンドを利用して１０ｍＷ（最大１００ｍＷ）の微弱電波により約１０ｍ以内の短距離間で無線通信を行うもので、パーソナル・コンピュータとプリンタ等の周辺機器との間や、携帯電話とノート型のパーソナルコンピュータとの間を接続する方式として使用される。ＢＴ方式では、ノイズの多い環境下でも動作するように、無線伝送方式としてホップ周波数が１６００ホップ／ｓｅｃに設定された周波数ホッピング方式が用いられる。また、通信相手との間では非同期チャネルによる無線通信が可能であり、転送速度は全体で１Ｍｂｐｓとなっている。
【００１１】
さらに、約１０ｍ以内の使用範囲では最大８台の機器を接続することが可能である。これらの機器はピコネットと呼ばれるネットワークを形成し、１台がマスタその他の機器がスレーブとして機能する。図１においては、マスタ端末１００が文字通りマスタとして機能し、移動機２００がスレーブとして機能する。
【００１２】
本システムが適用される例として以下のような場合が考えられる。移動機２００を持った顧客がある商店（Ｘ店とする）に行き、何らかの商品（またはサービス）を購入したとする。Ｘ店は商品を購入したとき顧客に対してその購入金額に応じたポイントを発行するものとする。なお、ここでポイントとは例えば航空券のマイレージサービスやクレジットカードのポイントサービスなど、商品を購入した際にその購入金額に応じて発行されるもので、この発行されたポイント値によって商品の割引や景品の進呈等のサービスを受けられるものである。
【００１３】
マスタ端末１００が上記したＸ店に設置されており、商品購入時にマスタ端末１００から購入金額に応じたポイントに相当するデータがＢＴ方式で移動機２００に供給される。移動機２００はマスタ端末１００から供給されたポイントに相当するデータを受信すると共にこれを保存する。ここで移動機２００はＢＴ方式での無線通信の他に携帯電話の機能も持つ。したがって、移動機２００は携帯電話で通話を行っている最中にマスタ端末１００からのポイントに関するデータを受信することができる。またはマスタ端末１００からポイントに関するデータを受信している間に着信があってもこれを受けることができる。
以下にマスタ端末１００と移動機２００の内部の構成を図面を用いてそれぞれ説明する。
【００１４】
図２は本発明におけるマスタ端末の概略的構成図であり、１０１は表示部、１０２はラインコントロール部（ＬＩＣ）、１０３はメモリ、１０４は制御部、１０６はキーボード、１０７は電源回路部、１０7はＢＴ無線部をそれぞれ示す。表示部１０１は例えばＬＣＤ(Ｌｉｑｕｉｄ Ｃｒｙｓｔａｌ Ｄｉｓｐｌａｙ)からなり、移動機からの情報や、移動機へ送信する情報を表示する。
【００１５】
ラインコントロール部１０２は、移動機の属するホーム事業者（携帯電話会社）と通信する場合に公衆回線と接続しデータリンク制御を行う。
【００１６】
メモリ１０３は、例えばＲＯＭやＲＡＭなどの半導体メモリを記憶媒体としたもので、この記憶媒体には制御部１０４の制御プログラムやマスタ識別固有情報、移動機に問い合わせた移動機固有情報、移動機固有情報毎に割当てた割当固有情報、移動機毎に異なるユーザ情報などが記憶される。
【００１７】
制御部１０４は、例えばマイクロコンピュータを主制御部として備えたものである。この制御部１０４は後で詳述するＢＴを介した通信制御機能１０４ａ、メモリ１０３に記憶されている情報の読み出し・書き込みを行う機能１０４ｂ、移動機に対して移動機固有情報毎に割当てる割当固有情報を生成する機能１０４ｃ、公衆回線に接続し、無線接続された移動機が正当な端末かどうかを確認するための認証要求機能１０４ｄを備えている。
【００１８】
キーボード１０５は、例えば移動機所有者の氏名、住所などの入力を行う。
電源回路部１０６は、当該マスタ端末の駆動電源である。
【００１９】
ＢＴ無線部１０７は、制御部１０４におけるＢＴ通信制御機能１０４ａの制御に基づいて移動機２００とＢＴパケットの送受信を行う。なお１０８はＢＴ方式による無線信号を送受信するために使用されるアンテナである。
【００２０】
次に、図３は本発明におけるスレーブ端末となる移動機２００の概略的構成図であり、２０１は表示ユニット、２０２はＷ−ＣＤＭＡ無線部、２０３はＷ−ＣＤＭＡ通信用アンテナ、２０４はメモリ、２０５は制御部、２０６はキーボード、２０７はマイク／レシーバユニット、２０８は電源回路部、２０９はＢＴ無線部、２１０はＢＴ通信用アンテナである。
【００２１】
この図からわかるように移動機２００は通常の携帯電話機としての機能に加えてマスタ端末１００との通信用ＢＴ無線部を具備している。携帯電話機能で用いる無線インターフェースとしてはＷ−ＣＤＭＡ（Ｗｉｄｅｂａｎｄ−Ｃｏｄｅ Ｄｉｖｉｓｉｏｎ Ｍｕｌｔｉｐｌｅ Ａｃｃｅｓｓ）方式が用いられる。
【００２２】
Ｗ−ＣＤＭＡ方式は、２ＧＨｚ帯において例えば５ＭＨｚの帯域幅を使用して高速で大容量のマルチメディア移動通信を可能にするもので、サービスエリア内に分散配置された複数の基地局の一つとの間で拡散符号による同期をとった上で通信を行う。基地局と端末との間の無線アクセス方式としてはＣＤＭＡ方式が使用される。また上り方向と下り方向の多重方式にはＤＳ−ＦＤＤ（ＤｉｒｅｃｔＳｅｑｕｅｎｃｅ−Ｆｒｅｑｕｅｎｃｙ Ｄｉｖｉｓｉｏｎ Ｄｕｐｌｅｘ）、ＭＣ−ＦＤＤ（Ｍｕｌｔｉ Ｃａｒｒｉｅｒ−Ｆｒｅｑｕｅｎｃｙ Ｄｉｖｉｓｉｏｎ Ｄｕｐｌｅｘ）及びＴＤＤ（Ｔｉｍｅ Ｄｉｖｉｓｉｏｎ Ｄｕｐｌｅｘ）の３方式が選択的に使用される。
【００２３】
図３に示す各部について説明する。
【００２４】
表示ユニット２０１は、例えばＬＣＤなどからなり、ユーザに対し自機の状態(発信／着信、バッテリ残量、受信強度)やメモリ２０４から読み出した情報を表示する表示部、映像を撮影すると共に着信があったときに相手側の顔等の映像を表示するカメラ部、画像を処理する画像処理部よりなる。
【００２５】
Ｗ−ＣＤＭＡ無線部２０２は、アンテナ２０３を介してＷ−ＣＤＭＡ基地局（図１の基地局３００）と無線信号の送受信を行う。
【００２６】
メモリ２０４は、例えばＲＯＭやＲＡＭなどの半導体メモリを記憶媒体としたもので、この記憶媒体には制御部２０５の制御プログラム、マスタ端末からの割当固有情報やその他管理情報、設定情報を記憶する。
【００２７】
制御部２０５は、例えばマイクロコンピュータを主制御部として備えたもので、Ｗ−ＣＤＭＡ網との発着信制御を含む通信制御部２０５ａ、ＢＴを介した通信制御２０５ｂ、メモリ２０４内の情報の読み出しやメモリ２０４に記憶された情報の更新を行うメモリ情報読出し・書込機能２０５ｃ、マスタ端末からの指示またはユーザの操作によってメモリ２０４に保存されている情報を表示部に表示させるメモリ内情報表示制御機能２０５ｄを備えている。
【００２８】
キーボード２０６は、ダイヤル番号入力を行うためのテンキーなど発着信に関る通常の機能を実施するためのキーのほか、移動機の各種設定を行うための機能設定キーを備えている。
【００２９】
マイク／レシーバユニット２０７は、マイクとレシーバの他に、音声信号を符号化・復号化する音声コーデックを含む。
電源回路部２０８は、リチウムイオン電池など、当該スレーブ移動機装置の駆動電源である。
【００３０】
ＢＴ無線部２０９は、制御部２０５におけるＢＴ通信制御機能２０５ｂの制御に基づいてアンテナ２１０を介してマスタ端末１００との間でＢＴパケットの送受信を行う。
【００３１】
次に上記構成のマスタ端末とスレーブの移動機によるデータ送受信システムの動作を説明する。
【００３２】
なお、ＢＴによる通信制御についてはマスタとスレーブの接続例であることにより説明を省略する。
【００３３】
ここでは、特にマスタ装置とスレーブ移動機間の制御動作について説明する。最初に、移動機にマスタ端末に関わる情報を初めて登録する場合を図４を用いて説明する。
ある店でサービスカードを発行してもらう場合や、病院で初診の場合が考えられるが、ここではＸ店のポイントカードの場合で説明する。
【００３４】
Ｘ店に設置されたマスタ端末１００のメモリ（図２のメモリ１０３）には、図５に示すように、Ｘ店のマスタ識別固有情報：ＡＢＣＤ、登録済みの顧客情報である顧客の移動機のホーム事業者番号（契約している携帯電話会社の番号）、移動機の電話番号、移動機毎にマスタ端末が割当てた割当固有情報、顧客に付与したポイント数、有効期限などのユーザ情報を保存する。
【００３５】
移動機２００のメモリ（図３のメモリ２０４）には、図６に示すように移動機固有情報であるホーム事業者コードや電話番号、移動機識別子といった書換え不可の情報、店の名前や病院名等のサービス提供側情報の名称とそのマスタ識別固有情報、マスタ端末が移動機毎に割当てた割当固有情報、ポイントや有効期限といった管理情報（ユーザ情報とも言ってよい）を保存する。
【００３６】
図４に戻り、移動機２００に初めてマスタ端末１００に関わる情報を登録する際、最初にステップ４０１で、マスタ端末１００と移動機２００間でＢＴによる接続を行う。これはマスタ、移動機の各制御部のＢＴ通信制御機能を用いて行う。
【００３７】
次にステップ４０２で、ＢＴ通信制御機能１０４ａを用いて、マスタ側からマスタ識別固有情報：ＡＢＣＤを乗せて問い合わせを送信する。マスタ識別固有情報は、店名や病院名などを特定できるユニークな値である。移動機は、問合せのあったマスタ識別固有情報が既に登録されているかチェックし、登録されていればそのマスタ識別固有情報に対応して割付けられた割当固有情報を応答するが、未登録の場合は応答しない（または情報無の応答を返す）。
【００３８】
マスタ端末１００は、一定時間応答が無い（または情報無の応答を受ける）と、ステップ４０３でＢＴ通信制御機能１０４ａを用いて移動機固有情報の問合せを送信する。
【００３９】
この移動機固有情報問合せを受けると、ステップ４０４で、移動機２００はＢＴ通信制御機能２０５ｂを用いて移動機のホーム事業者番号Ｃと電話番号５５５−５５５５（または移動機識別子）などのような移動機固有の情報を応答する。ステップ４０５で、マスタ端末１００は移動機固有情報「Ｃと５５５−５５５５」に対応付けてマスタ端末１００内で管理する割当固有情報「０００５」を割当てる。これは制御部１００の割当固有情報生成機能１０４ｃを用いて行う。また、現在のポイント累計値「０」や有効期限「２０００．１２．３１」をその他の管理情報として自己のメモリに記憶する。これはメモリ情報読み出し書込み機能２０５ｃを用いて行う。
【００４０】
そして、ステップ４０６で、マスタ端末１００は、移動機２００に対し、マスタ識別固有情報「ＡＢＣＤ」、割当固有情報「０００５」、その他の管理情報としてポイント累計値「０」、有効期限「２０００．１２．３１」の情報をメモリ書き込み要求として送信する。これもＢＴ通信制御機能１０４ａを用いて行う。移動機２００は、メモリ書き込み要求を受信すると、メモリ情報読み出し書込み機能２０５ｃを用いて自己のメモリに新規に情報を書込む。（図６参照）
次にステップ４０７で書き込み正常終了をマスタ端末１００に応答として送信する。このような手順で移動機２００に新規の店の情報を登録する。
【００４１】
次にマスタ情報を移動機に登録した後のサービス利用時の動作を図７を用いて説明する。
【００４２】
利用者がＸ店に来店する。ステップ７０１でＸ店に設置されたマスタ端末１００と移動機２００間でＢＴによる接続が行われる。これはマスタ、移動機の各制御部のＢＴ通信制御機能を用いて行う。
【００４３】
ステップ７０２で、マスタ端末１００側はＢＴ通信制御機能１０４ａを用いてマスタ識別固有情報：ＡＢＣＤを乗せて問い合わせを送信する。
移動機２００は、問合せのあったマスタ識別固有情報が既に登録されているかチェックする。既に登録されているので、ステップ７０３で、そのマスタ識別固有情報に対応して割付けられた割当固有情報：０００５をＢＴ通信制御機能２０５ｂを用いて応答する。
【００４４】
ステップ７０４で、マスタ端末１００は割当固有情報より移動機の管理情報を割出し、有効期限をチェック後、会計によるポイント（購入金額に相当するポイント）を加算した情報を乗せてメモリ書換え要求を送信する。
ステップ７０５で、移動機２００はメモリ内情報読み出し・書込み機能１０４ｂを用いてマスタ識別固有情報の管理情報部分を書換え、書換え応答をマスタ装置に送信する。
【００４５】
このようにして、いちいちサービスカードを探して出すこともなく、ＢＴを使えば移動機を鞄などから出さなくともなく、ポイントを自動的に受けることができる。
【００４６】
図７では、マスタ端末からの問合せに対して、移動機２００側が応答する場合で説明したが、図８のように、マスタからの問合せなしに、ユーザがファンクションキーなどでサービス提供の情報を選択しＢＴ接続を起動して、割当固有情報を送信してもよい。
【００４７】
図８において、最初にステップ８０１で移動機のユーザがキーボード２０６（図２参照）を用いてＸ店に関する登録情報を選択する。
【００４８】
そしてステップ８０２でマスタ端末１００と移動機２００がＢＴによる無線接続を行う。ＢＴ接続完了後、ステップ８０３で移動機はＸ店から割当てられた割当固有情報「０００５」をＢＴ無線部２０９を介してマスタ端末１００に送る。
【００４９】
ステップ８０４で、マスタ端末１００は送信された割当固有情報より移動機２００の管理情報を割出し、有効期限をチェック後、会計によるポイント（購入金額に相当するポイント）を加算した情報載せてメモリ書換え要求を送信する。移動機２００は、マスタ識別情報の管理情報部分を書換え、ステップ８０５で書換え応答をマスタ装置に送信する。
【００５０】
なお、図７では、マスタ端末１００からの問合せに応答して、移動機２００のメモリ内の管理情報を書換える動作を説明したが、図９に示すようにマスタ端末１００から店ｂのマスタ識別固有情報：ＢＢＢＢを乗せた表示部２０１への表示要求を送信し、移動機２００はｂ店についての割当固有情報や管理情報を表示するようにしてもよい。
【００５１】
図９にその動作を説明する。まずステップ９０１で、移動機２００を持った利用者がｂ店に来店したときｂ店に設置されたマスタ端末１００と移動機２００との間でＢＴ接続が行われる。
【００５２】
次にステップ９０２で、マスタ端末１００から移動機の表示部を構成するＬＣＤにｂ店に関する割当固有情報と管理情報の表示を要求するメッセージがｂ店のマスタ識別固有情報「ＢＢＢＢ」と共に送られる。このメッセージを受け移動機２００は図１０に示すようにｂ店の割当て固有情報と管理情報が表示される。
【００５３】
その後ステップ９０３で表示確認のメッセージがマスタ端末１００に送られる。移動機２００の所有者は、図１０に示すように、「ｂ店、会員Ｎｏ：００２０（割当固有情報）、割引率：２０％、有効期限２０００．１２．３１」と表示された表示部、店員に提示することのより割引サービスを受けることができる。
【００５４】
また、図９ではＢＴ接続後、マスタ端末１００からの要求を受けて店のサービス情報の表示を行ったが、マスタからの要求を受けなくても図４に示した登録動作完了後に、ユーザがファンクションキーなどで店のサービス提供の情報を選択し、図１０に示すような登録情報を移動機２００の表示部に表示し、店員に提示することで割り引きサービスを受けることもできる。
【００５５】
次に、他の実施形態について、図１１を用いて説明する。これは、図４で説明した新規登録の際に移動機が正当な端末かどうか確認するために、マスタ側にホーム事業者に対し問合せをして正当性を確認する機能を入れたものである。
図１１において、ステップ１１０１でマスタ端末１００と移動機２００間でＢＴによる接続を行う。
【００５６】
ステップ１１０２で、マスタ側からマスタ識別固有情報：ＡＢＣＤをのせて問い合わせを送信する。移動機１００は、問合せのあったマスタ識別固有情報が既に登録されているかチェックし、登録されていればそのマスタ識別固有情報に対応して割付けられた割当固有情報を応答するが、無い場合は応答しない（または情報無の応答を返す）。
【００５７】
マスタ装置は、一定時間応答が無い（または情報無の応答を受ける）と、ステップ１１０３で移動機固有情報の問合せを送信する。
移動機２００は移動機固有情報問合せを受けると、ステップ１１０４で移動機２００のホーム事業者番号Ｃ（移動機１００が加入している携帯電話会社番号）と移動機識別子１２３４５のような移動機固有の情報を応答する。
【００５８】
マスタ端末１００が移動機固有情報を受け取ると、ステップ１１０５で、マスタ端末１００は制御部１０４の公衆網接続・認証要求機能１０４ｄを用いて、ホーム事業者Cに発信し呼接続する。
【００５９】
接続完了後、ステップ１１０６で移動機識別子１２３４５が正当なものかどうかをホーム事業者Ｃに問い合せる。
【００６０】
ステップ１１０７でホーム事業者Ｃから正当の旨応答があれば、移動機固有情報Ｃ、１２３４５４に対応づけてマスタ装置内で管理する割当固有情報００００５を割当て、それ以降の手順は図４と同様である。ホーム事業者Ｃから不正の旨応答があれば割当固有情報を割当ずにＢＴ通信を解除する。
【００６１】
このように、ホーム事業者に問い合せるホスト側でチェック機能をもつことで不正な移動機に登録をしないようにできる。
【００６２】
特に移動機に診察券情報をもたせ、診察情報を書込んだ場合など、セキュリティーを持たせたい情報のホストからの読み出し要求には、たとえば暗証番号の認証手順をもたせて、読み出し要求をチェックすることにより、不正なホストからの読み出しを拒絶することもできる。
【００６３】
図４の新規登録の際、移動機２００に対し、マスタ識別固有情報ＡＢＣＤ、割当固有情報００００５、その他の管理情報としてポイント累計値０、有効期限２０００．１２．３１の情報をメモリ書き込み要求として送信する際に、これら情報をマスタから読み込む際の暗証番号９９００も送信する。移動機は、マスタ識別固有情報ＡＢＣＤに対応づけて、マスタからの読出し暗証番号９９００をメモリに記憶する。
【００６４】
例えば図７で説明したように、サービスを受ける際、移動機２００はマスタ側からマスタ識別情報ＡＢＣＤに加えて暗証番号９９００を含む問合せを受信するとマスタ識別情報に対応づけた暗証番号をチェックする。記憶された暗証番号と異なる場合、移動機２００は応答しない。暗証番号がない場合も応答しない。暗証番号が一致する場合のみ、移動機２００は割当固有情報等、登録情報を応答として返す。
【００６５】
移動機に診察券情報をもたせ、診察情報を書込んだ場合など、セキュリティーを持たせたい情報のホストからの書換え要求には、たとえば暗証番号の認証手順をもたせて、書換え要求をチェックすることにより、不正なホストからのメモリ書換えを拒絶する。
【００６６】
図４で説明した新規登録の際、移動機２００に対し、マスタ識別固有情報ＡＢＣＤ、割当固有情報００００５、その他の管理情報としてポイント累計値０、有効期限２０００．１２．３１の情報をメモリ書き込み要求として送信する際に、これら情報をマスタから書換える際の暗証番号００９９も送信する。移動機１００は、マスタ識別固有情報ＡＢＣＤに対応づけて、マスタからの書換え暗証番号００９９をメモリに記憶する。
【００６７】
図７で説明したポイント更新の際、マスタ装置と移動機はＢＴによる接続を行い、マスタ側からマスタ識別固有情報：ＡＢＣＤをのせて問い合わせを送信する。移動機２００は、問合せのあったマスタ識別固有情報が既に登録されているかチェックし、登録されているのでそのマスタ識別固有情報に対応して割付けられた割当固有情報を応答する。マスタ端末１００は割当固有情報より移動機の管理情報を割出し、有効期限をチェック後、会計によるポイントを加算した情報と共に書換え暗証番号００９９を載せてメモリ書換え要求を送信する。移動機は、ホスト側から暗証番号と書換える情報を含んだ書換え要求を受信するとマスタ識別情報に対応づけた暗証番号をチェックし、異なる場合はメモリを書換えない。暗証番号がない場合も書換えない。暗証番号が一致する場合はメモリのマスタ識別情報の管理情報部分を書換え、書換え応答をマスタ装置に送信する。
【００６８】
ユーザが登録した店や病院等の登録情報をユーザ操作により表示部に表示できることが先に説明したが、他人に勝手に情報を見られないように、シークレットモードを設定し、暗証番号を入力しないとそのような登録情報を表示できないようにしてもよい。登録後の情報をユーザ操作により表示し、ユーザ操作でその情報にシークレットモードを設定する。一旦シークレットモードに設定するとそれを解除しない限り以後その情報を表示しようとしても、選択できない。暗証番号を入力して、一致することによって登録情報を見ることが可能になる。
【００６９】
本システムにおける移動機をプリペイドカードとして用いる応用例を以下に説明する。すなわち、移動機の管理情報に金額を入力し、支払時にＢＴで通信し、金額をデクリメントしてプリペイドカードの代用をするという例である。
【００７０】
まず、移動機１００にプリペイド情報を登録する動作を図１２を用いて説明する。
【００７１】
ある交通機関、ここではＹ交通のプリペイドの場合で説明する。Ｙ交通のマスタのメモリには、特に何ももたなくてもよい。必要であれば図５に示すように、登録済みの顧客情報である顧客の移動機のホーム事業者番号や移動機の電話番号、移動機毎にマスタ装置が割当てた割当固有情報、顧客に付与したプリペイド残高、使用日時と金額などの情報を保存してもよい。移動機側のメモリには、図１４に示すように移動機固有情報であるホーム事業者コードや電話番号、移動機識別子といった書換え不可の情報と、プリペイド提供側情報の名称とそのマスタ識別固有情報やマスタが移動機毎に割当てた割当固有情報、プリペイド残高や使用日時と金額といった管理情報を保存する。
【００７２】
図１２に戻り、移動機に初めてマスタ端末に関わる情報を登録する際、最初にステップ１２０１で、マスタ端末１００と移動機２００間でＢＴによる接続を行う。
【００７３】
次にステップ１２０２で、マスタ側からマスタ識別固有情報：ＥＦＧＨを乗せて問い合わせを送信する。マスタ識別固有情報は、交通機関名などを特定できるユニークな値である。移動機２００は、問合せのあったマスタ識別固有情報が既に登録されているかチェックし、登録されていればそのマスタ識別固有情報に対応して割付けられた割当固有情報を応答するが、未登録の場合は応答しない（または情報無の応答を返す）。
【００７４】
マスタ端末１００は、一定時間応答が無い（または情報無の応答を受ける）と、ステップ１２０３で移動機固有情報の問合せを送信する。
【００７５】
移動機２００が移動機固有情報問合せを受けると、ステップ１２０４で、例えば移動機のホーム事業者番号Ｃと電話番号５５５−５５５５（または移動機識別子）などのような移動機固有の情報を応答する。
【００７６】
マスタ端末１００は、ステップ１２０５で、移動機固有情報「Ｃと５５５−５５５５」に対応付けてマスタ端末１００内で管理する割当固有情報「５７８７」を割当てる。その際、その他の管理情報として客が購入した額：￥５０００の情報を自己のメモリに記憶してもよい。
【００７７】
そして、移動機２００に対し、ステップ１２０６でマスタ識別固有情報「ＥＦＧＨ」、割当固有情報「５７８７」、その他の管理情報として客の購入した額「￥５０００」の情報をメモリ書き込み要求として送信する。移動機２００は、メモリ書き込み要求を受信すると自己のメモリに新規に情報を書込む。（図１４参照）
次にステップ１２０７で書き込み正常終了をマスタ端末１００に応答として送信する。このような手順で移動機２００にＹ交通の￥５０００のプリペイド情報を登録する。
【００７８】
次に登録後のサービス利用の動作を、図１３を用いて説明する。
Ｙ交通利用時（切符購入、精算など）に、ステップ１３０１で駅に設置されたマスタ端末１００と移動機２００間でＢＴによる接続が行われる。
【００７９】
ステップ１３０２でマスタ端末１００側からマスタ識別固有情報：ＥＦＧＨを乗せて問い合わせを送信する。
【００８０】
移動機２００は、問合せのあったマスタ識別固有情報が既に登録されているかチェックし、登録されているので、ステップ１３０３で、そのマスタ識別固有情報に対応して割付けられた割当固有情報：５７８７を応答する。
マスタ端末１００は割当固有情報の応答を受けることでプリペイド登録がされていると判定し、ステップ１３０４で残高問合せ要求を移動機２００に送信する。残高問合せを受信すると移動機２００はステップ１３０５でＹ交通のプリペイドの残高情報応答を送信する。
【００８１】
マスタ１００は、残高情報応答を受信すると、ステップ１３０６で、会計による残高を減算した情報と使用日時：１９９８．１２．０３と額：￥８８０を乗せてメモリ書換え要求を送信する。
移動機２００は、マスタ識別情報の管理情報部分を書換え、ステップ１３０７で
書換え応答をマスタ装置に送信する。
このようにして、数多くの種類から使いたいプリペイドカードを探して出すこともなく、ＢＴを使えば移動機を出さなくともなく、プリペイド機能をも利用することができる。
【００８２】
図１３では、マスタ端末からの問合せに対して、移動機２００側が応答する場合で説明したが、図８で説明したように、マスタからの問合せなしに、ユーザがファンクションキーなどでサービス提供の情報を選択しＢＴ接続を起動して、割当固有情報を送信することにより、図１３と同様の動作でプリペイド機能を利用してもよい。
【００８３】
また、マスタ側のホストが各移動機のプリペイド額を記憶しておくことで、ユーザが不正に金額を移動機に書込みしても、矛盾を検出することができる。
【００８４】
なお、上記説明では、無線のＢｌｕｅｔｏｏｔｈの場合で説明したが、他の無線システムで情報を送受信してもよい。また、移動機の固有情報に対して、マスタが割当固有情報を割当てる場合で説明したが、移動機の固有情報イコール割当固有情報でも実現可能である。
【００８５】
【発明の効果  】
以上説明した様に、本発明によれば、いままで財布の中やカバンの中に雑多にあり、使いたいときになかなか出てこない様々な店のポイントカード、サービスカード、会員カード、診察券などの情報を移動機１台のなかに網羅してもち、必要な時に発行側のマスタからの無線通信による要求に応じることや、ユーザ操作により移動機の表示部に情報を表示することにより、ポイントゲットや割引サービス、受付などの各種サービスを受けることができる。
【図面の簡単な説明】
【図１】本発明のデータ通信システムの概略構成図。
【図２】本発明に係わるマスタ端末のブロック構成図
【図３】本発明に係わる移動機（スレーブ端末）のブロック構成図
【図４】移動機にマスタ情報を登録する際のシーケンス図
【図５】マスタ端末のメモリ内のデータ構成例を示す図
【図６】移動機のメモリ内のデータ構成例を示す図
【図７】マスタ側からの起動による移動機にマスタ情報を更新する際のシー ケンス図
【図８】スレーブ側からの起動による移動機にマスタ情報を登録する際のシーケンス図
【図９】マスタ側からの起動により移動機に情報を表示する際のシーケンス図
【図１０】移動機のメモリ内に記憶された情報の表示例を示す図
【図１１】新規登録の際、マスタがホーム事業者に端末の正当性を確認する場合のシーケンス図
【図１２】移動機にプリペイド情報を登録する際のシーケンス図
【図１３】マスタ側の起動によるプリペイド利用の際のシーケンス図
【図１４】プリペイド利用時の移動機のメモリ内のデータ構成例を示す図
【符号の説明】
１００…マスタ端末装置
２００…移動機
１０１，２０１…表示ユニット
１０２…ラインコントロール部
１０３，２０４…メモリ
１０４，２０５…制御部
１０５，２０６…キーボード
１０６，２０８…電源回路部
１０７，２０９…ＢＴ無線部
１０８，２１０…ＢＴ通信用アンテナ
２０２…Ｗ−ＣＤＭＡ無線部
２０３…Ｗ−ＣＤＭＡ通信用アンテナ
【図１】
0004427158.tif 000002
【図２】
0004427158.tif 000003
【図３】
0004427158.tif 000004
【図４】
0004427158.tif 000005
【図５】
0004427158.tif 000006
【図６】
0004427158.tif 000007
【図７】
0004427158.tif 000008
【図８】
0004427158.tif 000009
【図９】
0004427158.tif 000010
【図１０】
0004427158.tif 000011
【図１１】
0004427158.tif 000012
【図１２】
0004427158.tif 000013
【図１３】
0004427158.tif 000014
【図１４】
0004427158.tif 000015